(57)【特許請求の範囲】
【請求項１】
平型電線が挿入可能なコネクタであって、
基部から前方に伸び前記平型電線の上方に位置する前ビームと、前記基部から後方に伸びる後上ビームと、前記基部から後方に伸び前記後上ビームの下方に位置する後下ビームとを有する複数の端子と、
前記後上ビームと前記後下ビームとの間に配置されるカム部を有するアクチュエータであって、前記カム部が前記後上ビームを押し上げるロック位置と、前記カム部が前記後上ビームから離れる解放位置との間で回転可能となるように設けられ、前記解放位置から後方に回転することで前記ロック位置に移動するアクチュエータと、
上方に突出するように前記後下ビームに形成され、前記カム部の後方に位置している凸部と、を有し、
前記アクチュエータには、前記アクチュエータが前記解放位置にあるときに前記後上ビームがそれぞれ嵌る複数の穴が形成され、
前記複数の穴のうち少なくとも１つの穴の底部には、前記アクチュエータが前記開放位置にあるときに前記後上ビームの先端が当る壁部が設けられている、
ことを特徴とするコネクタ。
【請求項２】
平型電線が挿入可能なコネクタであって、
基部から前方に伸び前記平型電線の上方に位置する前ビームと、前記基部から後方に伸びる後上ビームとを有する複数の端子と、
前記後上ビームの下方に配置されるカム部を有するアクチュエータであって、前記カム部が前記後上ビームを押し上げるロック位置と、前記カム部が前記後上ビームから離れる解放位置との間で回転可能となるように設けられ、前記解放位置から後方に回転することで前記ロック位置に移動するアクチュエータと、
前記複数の端子を収容しているハウジングと、
上方に突出するように前記ハウジングの底部に形成され、前記カム部の後方に位置している凸部と、を有し、
前記アクチュエータには、前記アクチュエータが前記解放位置にあるときに前記後上ビームがそれぞれ嵌る複数の穴が形成され、
前記複数の穴のうち少なくとも１つの穴の底部には、前記アクチュエータが前記開放位置にあるときに前記後上ビームの先端が当る壁部が設けられている、
ことを特徴とするコネクタ。
【請求項３】
請求項１又は２に記載のコネクタにおいて、
前記後上ビームの先端は、前記凸部の前記カム部と当る部分より後方に位置している、
ことを特徴とするコネクタ。
【請求項４】
請求項１又は２に記載のコネクタにおいて、
前記アクチュエータの前記壁部は前記少なくとも１つの穴を閉塞している、
ことを特徴とするコネクタ。
【請求項５】
請求項１又は２に記載のコネクタにおいて、
前記アクチュエータには、前記複数の穴として、前記アクチュエータを貫通する複数の第１の穴と、前記壁部が設けられた複数の第２の穴とが形成されている、
ことを特徴とするコネクタ。
【請求項６】
請求項５に記載のコネクタにおいて、
前記複数の第１の穴と、前記複数の第２の穴は交互に並んでいる、
ことを特徴とするコネクタ。
【請求項７】
請求項１に記載のコネクタにおいて、
前記アクチュエータの前記壁部は後方に膨らむように形成されている、
ことを特徴とするコネクタ。
【請求項８】
請求項１又は２に記載のコネクタにおいて、
前記コネクタは、前記複数の端子として、前記後下ビームの先端側に前記回路基板に取り付けられる接続部を有する第１の端子と、前記回路基板に取り付けられる接続部が設けられておらず前記第１の端子の前記後下ビームよりも短い前記後下ビームを有する第２の端子と含み、
前記アクチュエータには、前記複数の穴として、前記アクチュエータを貫通するとともに前記第１端子の前記後上ビームが嵌る第１の穴と、前記壁部が設けられるとともに前記第２の端子の前記後上ビームが嵌る第２の穴とが形成されている、
ことを特徴とするコネクタ。
【発明の詳細な説明】
【技術分野】
【０００１】
本発明は、アクチュエータによって、端子をＦＦＣ（Flexible Flat Cable）やＦＰＣ（Flexible Printed Circuits）などの平型電線に押し付けるコネクタに関する。
【背景技術】
【０００２】
従来、ＦＦＣやＦＰＣなどの平型電線が挿入可能なコネクタが利用されている。この種のコネクタには特許文献１に開示されるものがある。特許文献１のコネクタには、端子の後部を押し上げることによって端子の前部を平型電線側に傾けるアクチュエータが設けられている。すなわち、特許文献１の端子は、その基部から前方に伸び、間に平型電線が挿入される前上ビームと前下ビームとを有している。また、この端子は、基部から後方に伸びる後上ビームと後下ビームとを有している。後上ビームと後下ビームとの間に、アクチュエータのカム部が配置されている。作業者がアクチュエータを後方に回転すると、カム部は、後上ビームと後下ビームとの間で回転し、後上ビームを押し上げる。これによって、前上ビームは、その基部を支点として弾性的に下方に傾き、平型電線の表面に押し付けられる。
【０００３】
上述のコネクタでは、後下ビームは、カム部の後の位置に凸部を有している。この凸部は、カム部が回転するときに、カム部の後方への移動を規制する。これによってカム部は、その回転時に後下ビームと後上ビームとの間に留まり、アクチュエータがコネクタから外れることが抑えられている。
【先行技術文献】
【特許文献】
【０００４】
【特許文献１】特開２００５−７８９０８号公報
【発明の概要】
【発明が解決しようとする課題】
【０００５】
しかしながら、上述のコネクタには、作業者がアクチュエータを誤って前方に回転させたときに、アクチュエータがコネクタから外れるという問題があった。つまり、この種のコネクタでは、アクチュエータの可動範囲を大きくするために、アクチュエータには後上ビームが嵌る穴が形成されている。この穴は、アクチュエータを貫通しているため、アクチュエータはコネクタに対して起立した位置から、さらに前方に回転できる。アクチュエータが前方に回転したときには、カム部の後端（下端）が持ち上がり、カム部の後に形成された凸部を乗り越えてしまう。その結果、アクチュエータがコネクタから外れる場合がある。
【０００６】
本発明は、上記課題に鑑みてなされたものであって、その目的は、アクチュエータを前方に回転させようとする力が作用した場合でも、アクチュエータが外れることを抑えることのできるコネクタを提供することにある。
【課題を解決するための手段】
【０００７】
上記課題を解決するために、本発明に係るコネクタは、平型電線が挿入可能なコネクタであって、基部から前方に伸び前記平型電線の上方に位置する前ビームと、前記基部から後方に伸びる後ビームとを有する複数の端子を有している。また、前記コネクタは、前記後ビームの下方に配置されるカム部を有するアクチュエータであって、前記カム部が前記後ビームを押し上げるロック位置と、前記カム部が前記後ビームから離れる解放位置との間で回転可能となるように設けられ、前記解放位置から後方に回転することで前記ロック位置に移動するアクチュエータを備えている。さらに、前記コネクタは、前記カム部の後の位置で上方に突出する凸部を有している。そして、前記アクチュエータには、当該アクチュエータが前記解放位置にあるときに前記後ビームがそれぞれ嵌る複数の穴が形成され、前記複数の穴のうち少なくとも１つの穴の底部には前記後ビームの先端が当る壁部が設けられている。
【０００８】
本発明によれば、アクチュエータを前方に回転させようとする力が作用した場合でも、壁部が後ビームの先端に当るため、アクチュエータが解放位置から前方に回転することを抑えることができ、カム部が凸部を越えて後方に移動することを抑えることができる。その結果、アクチュエータがコネクタから外れることを抑制できる。なお、ここでの前方及び後方などの方向は、各部材の相対的な位置関係を示すための方向であり、コネクタの使用時における絶対的な方向を示すものではない。
【０００９】
また、本発明の一態様では、前記後ビームの先端は、前記凸部の前記カム部と当る部分より後方に位置してもよい。アクチュエータを解放位置から前方に回転させようとする力が作用したときには、後ビームの先端が支点となるため、カム部には当該カム部を後方に移動させようとする力が作用する。この態様では、後ビームの先端は、凸部のカム部と当る部分より後方に位置しているため、カム部に作用する力は後方且つ斜め下方になる。その結果、カム部が凸部を乗り越えることをさらに効果的に抑制できる。
【００１０】
また、本発明の一態様では、前記壁部は前記少なくとも１つの穴を閉塞してもよい。この態様によれば、後ビームの先端が確実に壁部に当るようになる。
【００１１】
また、本発明の一態様では、前記アクチュエータには、前記複数の穴として、前記アクチュエータを貫通する複数の第１の穴と、前記壁部が設けられた複数の第２の穴とが形成されてもよい。この態様によれば、第１の穴に嵌る後ビームを長くすることができる。その結果、カム部が後ビームを押し上げる際に要する力、すなわちアクチュエータを後方に回転させる際に要する力を低減できる。
【００１２】
また、この態様では、前記複数の第１の穴と、前記複数の第２の穴は交互に並んでもよい。これによって、アクチュエータの剛性の不均衡を低減できる。
【００１３】
また、本発明の一態様では、前記壁部は後方に膨らむように形成されている。これによって、壁部が設けられた穴を深くすることができるため、当該穴に嵌る後ビームを長くすることができる。その結果、カム部が後ビームを押し上げる際に要する力、すなわちアクチュエータを後方に回転させる際に要する力を低減できる。
【００１４】
また、本発明の一態様では、前記複数の端子は、前記基部から後方に伸び前記後ビームの下方に位置する後下ビームをさらに備える。また、前記コネクタは、前記複数の端子として、前記後下ビームの先端側に前記回路基板に取り付けられる接続部を有する第１の端子と、先端側に平らな上面が形成された前記後下ビームを有する第２の端子と含み、前記アクチュエータには、前記複数の穴として、前記アクチュエータを貫通するとともに前記第１端子の前記上ビームが嵌る第１の穴と、前記壁部が設けられるとともに前記第２の端子の前記上ビームが嵌る第２の穴とが形成されてもよい。この態様によれば、アクチュエータを後方に回転させて、ロック位置に配置した際に、アクチュエータと第１の端子との干渉を避け易くなる。
【図面の簡単な説明】
【００１５】
【図１】本発明の実施形態に係るコネクタの斜視図である。
【図２】図１に示すＩＩ−ＩＩ線での断面図であり、同図ではコネクタが有する前接続端子が示されている。
【図３】図２と同じ切断面によって得られる上記コネクタの断面図である。同図ではアクチュエータの後方への回転によって弾性変形した前接続端子が示されている。
【図４】図１に示すＩＶ−ＩＶ線での断面図であり、同図では上記コネクタが有する後接続端子が示されている。
【図５】図４と同じ切断面によって得られる上記コネクタの断面図である。同図ではアクチュエータの後方への回転によって弾性変形した後接続端子が示されている。
【図６】上記コネクタを後方から臨む斜視図である。
【図７】上記アクチュエータの斜視図である。
【図８】本発明の他の形態に係るコネクタの断面図である。
【発明を実施するための形態】
【００１６】
以下、本発明の一実施形態について図面を参照しながら説明する。図１は本発明の実施形態の例であるコネクタ１の斜視図である。図２は図１に示すＩＩ−ＩＩ線での断面図であり、同図ではコネクタ１が有する前接続端子３が示されている。図３は図２と同じ切断面によって得られるコネクタ１の断面図であり、同図ではアクチュエータ２の後方への回転によって弾性変形した前接続端子３が示されている。図４は図１に示すＩＶ−ＩＶ線での断面図であり、同図ではコネクタ１が有する後接続端子４が示されている。図５は図４と同じ切断面によって得られるコネクタ１の断面図であり、同図ではアクチュエータ２の後方への回転によって弾性変形した後接続端子４が示されている。図６はコネクタ１を斜め後方から臨む斜視図である。図７はアクチュエータ２の斜視図である。
【００１７】
図１、図２、又は図４に示すように、コネクタ１は複数の前接続端子３と複数の後接続端子４とを有している。コネクタ１はＦＰＣやＦＦＣなどの平型電線１００が前方から挿入可能なコネクタである。前接続端子３と後接続端子４は平型電線１００の挿入方向に対して垂直な方向（ここでは左右方向（Ｘ１−Ｘ２方向）に交互に並んで配置されている。また、コネクタ１は、前接続端子３と後接続端子４とが挿入され、これらの端子３，４を保持するハウジング１１と、作業者によって操作されて前接続端子３と後接続端子４とを弾性変形させるアクチュエータ２とを有している。なお、この例では、前接続端子３と後接続端子４は交互に並んで配置されているが、前接続端子３と後接続端子４の配置はこれに限られず、コネクタ１が配置される回路基板上に形成された導体部の位置に応じて適宜変更されてもよい。
【００１８】
図２又は図３に示すように、前接続端子３は略Ｈ状であり、その基部３１から前方（平型電線１００の挿入方向とは反対方向（Ｙ１方向））に伸び、間に平型電線１００が挿入可能な一対の前上ビーム３２と前下ビーム３３を有している。平型電線１００が挿入されたときには、前上ビーム３２は平型電線１００の上方に位置し、前下ビーム３３は平型電線１００の下方に位置する。前上ビーム３２には下方に突出する凸部３２ａが形成され、前下ビーム３３には上方に突出し、凸部３２ａと向き合う凸部３３ａが形成されている。この例では、凸部３２ａと凸部３３ａは、それぞれ前上ビーム３２又は前下ビーム３３の途中に位置している。後述するように、アクチュエータ２が後方に回転したことによって前接続端子３が平型電線１００を挟むように弾性変形したときには、凸部３２ａ又は凸部３３ａが平型電線１００の上面又は下面に形成された導体部（不図示）と接触する接触部として機能する（図３参照）。
【００１９】
前接続端子３は、前下ビーム３３の先端に、コネクタ１が配置される回路基板（不図示）に取り付け可能な接続部３６を有している。詳細には、接続部３６はハウジング１１の前縁１１ｃより前に位置し、接続部３６の下縁はハウジング１１の下面より低い位置に位置している。コネクタ１が回路基板上に配置されたときには、接続部３６の下縁が回路基板上の導体部と接し、当該導体部に半田付けされる。
【００２０】
また、前接続端子３は、基部３１から後方（前上ビーム３２及び前下ビーム３３の延伸方向とは反対方向（Ｙ２方向））に伸びる一対の後上ビーム３４と後下ビーム３５を有している。後下ビーム３５は後上ビーム３４の下方に位置し、後上ビーム３４と上下方向で向き合っている。
【００２１】
図４又は図５に示すように、後接続端子４も前接続端子３と同様に略Ｈ状であり、その基部４１から前方に伸び、間に平型電線１００が挿入可能な一対の前上ビーム４２と前下ビーム４３を有している。平型電線１００が挿入されたときには、前上ビーム４２は平型電線１００の上方に位置し、前下ビーム４３は平型電線１００の下方に位置する。前上ビーム４２には下方に突出する凸部４２ａが形成され、前下ビーム４３には上方に突出し、凸部４２ａと上下方向で向き合う凸部４３ａが形成されている。この例では、凸部４２ａと凸部４３ａは、それぞれ前上ビーム４２又は前下ビーム４３の先端に位置しており、前接続端子３の凸部３２ａ，３３ａより前方に位置している（図４参照）。後述するように、アクチュエータ２が後方に回転することによって後接続端子４が平型電線１００を挟むように弾性変形したときには、凸部４２ａ又は凸部４３ａが、平型電線１００の上面又は下面に形成された導体部（不図示）と接触する接触部として機能する（図５参照）。
【００２２】
また、後接続端子４は、基部４１から後方（前上ビーム４２及び前下ビーム４３の延伸方向とは反対方向（Ｙ２方向））に伸びる一対の後上ビーム４４と後下ビーム４５を有している。後下ビーム４５は後上ビーム４４の下方に位置し、後上ビーム４４と上下方向で向き合っている。後接続端子４は後下ビーム４５の先端に、コネクタ１が配置される回路基板に取り付け可能な接続部４６を有している。詳細には、接続部４６はハウジング１１の後縁１１ｄより後方に位置し、接続部４６の下縁はハウジング１１の下面より低い位置に位置している。コネクタ１が回路基板上に配置されたときには、接続部４６の下縁が回路基板上の導体部と接し、当該導体部に半田付けされる。
【００２３】
図２又は図４に示すように、ハウジング１１には前後方向に伸びる複数の挿入孔１１ａが形成されている。前接続端子３と後接続端子４は、それぞれ挿入孔１１ａに挿入され、当該挿入孔１１ａ内で保持されている。この例では、図４に示すように、後接続端子４の上縁には爪部４１ａが形成されている。爪部４１ａはハウジング１１の上板１２の下面に引っ掛かっている。また、図２に示すように、前接続端子３では、後下ビーム３５の上縁に爪部３５ａが形成されている。前接続端子３が挿入される挿入孔１１ａの左右の壁には、係合部１１ｂが掛け渡されている。係合部１１ｂは後上ビーム３４と後下ビーム３５との間に位置し、爪部３５ａはこの係合部１１ｂに引っ掛かっている。
【００２４】
上述したように、コネクタ１はその後部にアクチュエータ２を有している。アクチュエータ２は左右方向に長い棒状のカム部２１を有している（図７参照）。図２乃至図５に示すように、カム部２１は後上ビーム３４，４４の下方に位置している。この例では、前接続端子３と後接続端子４は、後上ビーム３４，４４に加えて、後下ビーム３５，４５を有しており、カム部２１は、後上ビーム３４，４４と後下ビーム３５，４５との間に位置している。カム部２１は、その断面が後上ビーム３４，４４と後下ビーム３５，４５との間隔より長い長丸となるように形成されており、後上ビーム３４，４４と後下ビーム３５，４５との間で回転することによって、後上ビーム３４，４４を押し上げる。カム部２１の動作については後において詳説する。
【００２５】
また、図２又は図４に示すように、アクチュエータ２はカム部２１とは後上ビーム３４，４４を挟んで反対側に操作部２７を有している。操作部２７は後上ビーム３４，４４の上方において左右方向に伸びるように形成されている。
【００２６】
アクチュエータ２は左右方向に長い厚板状の部材であり、その前面には左右方向に並ぶ複数の穴２２，２３が形成されている。穴２２，２３はカム部２１と操作部２７との間に位置している（図７参照）。穴２２，２３は交互に形成されおり、左右方向における穴２２の位置は前接続端子３の後上ビーム３４の位置に対応している。アクチュエータ２が後述する解放位置（図２又は図４に示すアクチュエータ２の位置）にある時には、後上ビーム３４は穴２２に嵌っている。また、左右方向における穴２３の位置は後接続端子４の後上ビーム４４の位置に対応しており、アクチュエータ２が解放位置にある時には、後上ビーム４４は穴２３に嵌っている。
【００２７】
図２に示すように、穴２２には、当該穴２２の前縁２２ａから、当該穴２２の深さ方向（図２では後方）に伸びるとともに、カム部２１と向き合う内面２２ｂが形成されている。後上ビーム３４は内面２２ｂに沿って後方に伸び、後上ビーム３４の先端３４ａは穴２２の前縁２２ａより穴２２の奥部に位置している。同様に、図４に示すように、穴２３には当該穴２３の前縁２３ａから当該穴２３の深さ方向に伸びるとともに、カム部２１と向き合う内面２３ｂが形成されている。後上ビーム４４は内面２３ｂに沿って後方に伸び、後上ビーム４４の先端４４ａは穴２３の前縁２３ａより穴２３の奥部に位置している。カム部２１を中心とするアクチュエータ２の回転が許容されるように、後上ビーム３４，４４が嵌る穴２２，２３の縦幅は後上ビーム３４，４４の縦幅より大きくなっている。
【００２８】
図７に示すように、隣接する穴２２と穴２３は互いに独立しており、穴２２と穴２３との間にはこれらを仕切る壁部２４が設けられている。後述するように、穴２３はアクチュエータ２をその厚さ方向に貫通する一方で、穴２２には当該穴２２を閉塞する壁部２２ｄが設けられている。
【００２９】
図４に示すように、上述した後接続端子４の後下ビーム４５の先端側には、後下ビーム４５から上方に突出する凸部４５ａが設けられている。凸部４５ａはカム部２１の後に位置しており、カム部２１の後端（下端）２１ａが凸部４５ａの側面に当っている。一方、図２に示すように、前接続端子３の後下ビーム３５には、そのような凸部は設けられておらず、後下ビーム３５は、その先端に至るまで平らな上面を有している。
【００３０】
アクチュエータ２は、カム部２１が後上ビーム３４，４４を押し上げるロック位置（図３及び図５で示すアクチュエータ２の位置）と、カム部２１が後上ビーム３４，４４から下方に離れて位置する解放位置（図２及び図４で示すアクチュエータ２の位置）との間で回転可能となるように設けられている。詳細には、図２又は図４に示すように、アクチュエータ２が解放位置にあるときには、カム部２１は後下ビーム３５，４５上で斜めに配置され、カム部２１の前端（上端）２１ｂは、後上ビーム３４，４４から離れて位置している。なお、この例では、アクチュエータ２が解放位置にあるときには、カム部２１は、その前端２１ｂが後上ビーム３４，４４と後下ビーム３５，４５の双方から離れて位置するように、斜めに配置されている。一方、アクチュエータ２がロック位置にあるときには、図３又は図５に示すように、カム部２１は後上ビーム３４，４４と後下ビーム３５，４５との間において起立し、後上ビーム３４，４４と後下ビーム３５，４５との間を押し広げる。
【００３１】
図２又は図４に示すように、解放位置では操作部２７は後上ビーム３４，４４の上方に位置している。作業者が操作部２７を後方に倒すことによって、アクチュエータ２は解放位置から後方に回転しロック位置に移動する。このとき、カム部２１は後上ビーム３４，４４と後下ビーム３５，４５との間で回転して後上ビーム３４，４４を押し上げる。
【００３２】
前上ビーム３２，４２と後上ビーム３４，４４は基部３１，４１を挟んで反対方向に伸びており、前上ビーム３２，４２と後上ビーム３４，４４は棒状を呈している。そのため、図３又は図５に示すように、カム部２１によって後上ビーム３４，４４が押し上げられたときには、前上ビーム３２，４２は基部３１，４１を支点として弾性的に下方に傾く。そして、前上ビーム３２，４２の凸部３２ａ，４２ａは、前上ビーム３２，４２と前下ビーム３３，４３との間に挿入されている平型電線１００の上面に押し付けられ、凸部３２ａ，４２ａと凸部３３ａ，４３ａは平型電線１００を挟む。なお、このように弾性変形する前接続端子３と後接続端子４は、例えば金属の打ち抜き加工によって形成される。
【００３３】
上述したように後接続端子４の後下ビーム４５には、カム部２１の後の位置で上方に突出する凸部４５ａが形成されている。カム部２１の後端２１ａは凸部４５ａに当っている。これによって、カム部２１は、後上ビーム３４，４４と後下ビーム３５，４５との間で回転する際に、凸部４５ａによって後方への移動が規制される。なお、凸部４５ａはハウジング１１に形成されてもよい。例えば、互いに隣接する後接続端子４と前接続端子３の間であって、カム部２１の後の位置に、ハウジング１１の底板部１３（図２乃至図５参照）から上方に突出する凸部が形成されてもよい。この場合においても、凸部によってカム部２１の後方への移動を規制できる。
【００３４】
図７に示すように、アクチュエータ２の側面には左右方向に突出する凸部２６が形成されている。一方、ハウジング１１は、後方に伸びるとともに、アクチュエータ２の側面と向き合う横壁部１６を有している（図１又は図６参照）。アクチュエータ２は左右の横壁部１６，１６の間に配置されている。図６に示すように、横壁部１６の内面には凸部１６ａが形成されており、この凸部１６ａにアクチュエータ２の凸部２６が引っ掛かっている。この凸部１６ａ，２６は、凸部４５ａとともに、アクチュエータ２の後方への移動を抑えている。
【００３５】
図４に示すように、後上ビーム４４が嵌る穴２３は、アクチュエータ２を前後方向（アクチュエータ２の厚さ方向）に貫通している。後上ビーム４４は穴２３の内面２３ｂに沿って後方に伸び、その先端４４ａは穴２３の後縁２３ｅより後方に位置している。
【００３６】
一方、図２に示すように、後上ビーム３４が嵌る穴２２の底部には壁部２２ｄが設けられている。この壁部２２ｄは、アクチュエータ２が解放位置に配置されているときに後上ビーム３４の先端３４ａが当る。この例では、壁部２２ｄは操作部２７からカム部２１まで伸びており、穴２２を後方から閉塞している。そのため、穴２２の内面には、上述した内面２２ｂからカム部２１に向けて伸びる底面２２ｅが設けられている。そして、後上ビーム３４の先端３４ａは底面２２ｅに対して前方から当っている。
【００３７】
アクチュエータ２は、壁部２２ｄが後上ビーム３４の先端３４ａに当ることによって、解放位置からロック位置とは反対方向（前方）への回転が規制されている。詳細には、図２又は図４に示すように、操作部２７を前方に倒そうとする力Ｆ１が作用したときには、後上ビーム３４の先端３４ａが壁部２２ｄにあたっているために、先端３４ａが支点となって、アクチュエータ２が前方に回転しようとする。このとき、カム部２１には当該カム部２１を後方へ移動させようとする力Ｆ２が作用するものの、カム部２１の後方への移動は、後下ビーム４５の凸部４５ａによって規制される。その結果、アクチュエータ２の前方へ回転することが規制され、カム部２１が凸部４５ａを乗り越えることが抑制されている。
【００３８】
図２又は図４に示すように、前後方向における後上ビーム３４の先端３４ａの位置は、凸部４５ａのカム部２１と当る部分の位置より後方に位置している。この例では、カム部２１の後端２１ａは凸部４５ａの側面に当っている。後上ビーム３４の先端３４ａは、凸部４５ａの側面より後方に位置している。これによって、操作部２７に前方への力Ｆ１が作用した場合であっても、カム部２１が凸部４５ａをさらに乗り越え難くなっている。つまり、操作部２７を前方に倒そうとする力Ｆ１が作用したときには、アクチュエータ２は先端３４ａと支点として前方に回転しようとする。このとき、カム部２１から凸部４５ａの側面に作用する力Ｆ２の方向は、後上ビーム３４の先端３４ａが凸部４５ａの側面より後方に位置しているために、後方且つ斜め下方となる。そのため、カム部２１が凸部４５ａをさらに乗り越え難くなっている。
【００３９】
図６に示すように、壁部２２ｄは後方に膨らむように形成されている。この例では、壁部２２ｄの外面２２ｆは、穴２３の後縁２３ｅとカム部２１の後端（下端）２１ａとより後方に位置している（図４参照）。これによって、穴２２を深くすることができ、当該穴２２に嵌る後上ビーム３４を長くすることができている。
【００４０】
上述したように、後接続端子４には、凸部４５ａと接続部４６とが設けられている。図５に示すように、アクチュエータ２がロック位置に配置されたときには、凸部４５ａと接続部４６の上方には、穴２３が位置する。このように穴２３を形成することによって、接続部４６とアクチュエータ２との干渉と、凸部４５ａとアクチュエータ２との干渉とを避けることができている。特に、この例では、アクチュエータ２がロック位置に配置されたときには、凸部４５ａの頂部と接続部４６の上縁は、穴２３の後縁２３ｅより僅かに高い位置に位置している。また、アクチュエータ２がロック位置に配置されたときには、穴２２に設けられた壁部２２ｄは、隣接する２つの接続部４６の間に位置する。このように穴２２を形成することによって、接続部４６と壁部２２ｄとの干渉を招くことなく、壁部２２ｄを大きく後方に膨らまし、穴２２を深くすることができている。
【００４１】
以上説明したように、コネクタ１には、基部３１から前方に伸び平型電線１００の上方に位置する前上ビーム３２と、基部３１から後方に伸びる後上ビーム３４とを有する複数の前接続端子３が設けられている。また、アクチュエータ２は、後上ビーム３４の下方に配置されるカム部２１を有し、カム部２１が後上ビーム３４を押し上げるロック位置と、カム部２１が後上ビーム３４から離れる解放位置との間で回転可能となるように支持され、解放位置から後方に回転してロック位置に移動している。また、コネクタ１には、カム部２１の後の位置で上方に突出する凸部４５ａが設けられている。そして、アクチュエータ２には、アクチュエータ２が解放位置にあるときに後上ビーム３４がそれぞれ嵌る複数の穴２２が形成され、穴２２の底部には、後上ビーム３４の先端３４ａが当る壁部２２ｄが形成されている。
【００４２】
このようなコネクタ１によれば、アクチュエータ２を前方に回転させようとする力が作用した場合でも、壁部２２ｄが後上ビーム３４の先端３４ａに当るため、アクチュエータ２が解放位置から前方に回転することを抑えることができ、カム部２１が凸部４５ａを越えて後方に移動することを抑えることができる。その結果、アクチュエータ２がコネクタ１から外れることを抑制できる。
【００４３】
なお、本発明は以上説明したコネクタ１に限られず、種々の変更が可能である。例えば、以上の説明では、穴２２の底部に設けられた壁部２２ｄは穴２２を後方から塞いでいた。しかしながら、壁部２２ｄは穴２２を塞いでいなくてもよい。例えば、壁部２２ｄは操作部２７から下方に伸びるものの、カム部２１と壁部２２ｄとの間に隙間が設けられていてもよい。すなわち、壁部２２ｄに穴２２より小さな穴が形成され、その穴が壁部２２ｄを貫通していてもよい。
【００４４】
また、コネクタ１には、アクチュエータ２を貫通する穴２３が設けられていた。しかしながら、穴２３の底部にも、後接続端子４の後上ビーム４４の先端４４ａが当る壁部が設けられてもよい。
【００４５】
また、コネクタ１では、前接続端子３の後上ビーム３４が嵌る穴２２の全てに壁部２２ｄが設けられていた。しかしながら、穴２２の一部にのみ壁部２２ｄが設けられてもよい。
【００４６】
また、コネクタ１では、壁部２２ｄは、後上ビーム３４の先端３４ａが当該壁部２２ｄに前方から当るように形成されていた。しかしながら、壁部２２ｄの内面は先端３４ａの形状に合わせて湾曲していてもよい。図８はこの形態に係るコネクタ１０１の断面図である。同図において、これまで説明した箇所と同一箇所には同一符号を付している。コネクタ１０１はアクチュエータ１０２を有している。アクチュエータ１０２では、穴２２の底部に設けられた壁部２２ｈの内面として、湾曲面２２ｇが形成されている。後上ビーム３４の先端３４ａは丸められており、当該先端３４ａの形状に応じて湾曲面２２ｇは湾曲している。こうすることによって、アクチュエータ２が前方に回転するときに、アクチュエータ２の支点の位置が安定する。
【符号の説明】
【００４７】
１，１０１  コネクタ、２，１０２  アクチュエータ、３  前接続端子、４  後接続端子、１１  ハウジング、１１ａ  挿入孔、１１ｂ  係合部、１１ｃ  前縁、１１ｄ  後縁、１２  上板、１３  底板部、１６  横壁部、１６ａ  凸部、２１  カム部、２１ａ  後端、２１ｂ  前端、２２  穴（第２の穴）、２２ａ  前縁、２２ｂ  内面、２２ｄ  壁部、２２ｅ  底面、２２ｆ  外面、２２ｇ  湾曲面、２２ｈ  壁部、２３  穴（第１の穴）、２３ａ  前縁、２３ｂ  内面、２３ｅ  後縁、２４  壁部、２６  凸部、２７  操作部、３１  基部、３２  前上ビーム、３２ａ  凸部、３３  前下ビーム、３３ａ  凸部、３４  後上ビーム、３４ａ  先端、３５  後下ビーム、３５ａ  爪部、３６  接続部、４１  基部、４１ａ  爪部、４２  前上ビーム、４２ａ  凸部、４３  前下ビーム、４３ａ  凸部、４４  後上ビーム、４４ａ  先端、４５  後下ビーム、４５ａ  凸部、４６  接続部、１００  平型電線。
【図１】
0005558040.tif 000002
【図２】
0005558040.tif 000003
【図３】
0005558040.tif 000004
【図４】
0005558040.tif 000005
【図５】
0005558040.tif 000006
【図６】
0005558040.tif 000007
【図７】
0005558040.tif 000008
【図８】
0005558040.tif 000009